(57)【要約】      （修正有）【課題】暗記カードに経穴（ツボ）の位置を示す画像や個々の経穴の所属する経絡の画像を記載することで、視覚的・直感的に暗記することを助ける学習用教材を提供する。【解決手段】経穴（ツボ）暗記カードの片面に個々の経穴（ツボ）の所属する経絡グループ別色分け１、経絡グループ名２、要穴等３、経穴（ツボ）の名称４、経穴（ツボ）名のふりがな５、世界保健機関（ＷＨＯ）による記号番号・中国語読み（ピンイン）６、骨格又は体表画像７、径穴（ツボ）の位置８、スケール９、身体指標１０、インデックス１１を記載することにより、経穴（ツボ）の名称のみでなく、その位置、相互関係などについて直感的に、映像的に暗記することを助ける。【選択図】図１
0003166633.tif 000002
【実用新案登録請求の範囲】
【請求項１】
複数枚のカード片を有する。各カード片の表面に経穴（ツボ）の名称を文字で記載、また個々の経穴（ツボ）の位置を骨格・筋肉・血管・神経・ガイドとなる経穴・スケールなどの指標を駆使して記載し、経穴（ツボ）の位置と名称を同時に暗記することができる。裏面に経穴（ツボ）の部位・筋肉・運動神経・知覚神経・血管等を文字で表示した経穴（ツボ）暗記カード。
【請求項２】
請求項１に記載の経穴（ツボ）暗記カード表面において、骨格・筋肉・血管・神経・ガイドとなる経穴などの身体指標にそれぞれ統一の画像表現を使用した経穴（ツボ）暗記カード。
【請求項３】
請求項１に記載の経穴（ツボ）暗記カードにおいて、世界保健機関（ＷＨＯ）による記号番号・中国語読み（ピンイン）とツボの特徴を表示したことを特徴とする経穴（ツボ）暗記カード。
【請求項４】
請求項１に記載の経穴（ツボ）暗記カードにおいて、経穴（ツボ）の所属する経絡（グループ）別に色分けし、分類しやすいようにインデックスをつけた経穴（ツボ）暗記カード。
【請求項５】
請求項１に記載の経穴（ツボ）暗記カードにおいて、経穴（ツボ）の名称を隠しながら、又は経穴（ツボ）の位置の図を隠しながら暗記するためのツールを添付した経穴（ツボ）暗記カード。
【請求項６】
請求項１から４の画像を用い、身体各部位や経絡（グループ）図、経穴（ツボ）の特徴、名称等から経穴（ツボ）を検索でき、また経穴（ツボ）から身体各部位や経絡（グループ）への逆引きもできるソフトウェア。
【考案の詳細な説明】
【技術分野】
【０００１】  本考案は、独自の画像表現と色分けインデックスをつけた経穴（ツボ）暗記カードとソフトウェアに関するものである。
【背景技術】
【０００２】これまで発売された経穴（ツボ）暗記カードは、文字のみや簡単な体表図によって構成されたものであった。
【考案の開示】
【考案が解決しようとする課題】
【０００３】はり師・きゅう師の資格を取得するためには、人体に分布する約４００の経穴（ツボ）の名称・位置・特色および個々の経穴（ツボ）が所属する経絡（グループ）を暗記しなければならない。これらを色で分類し、適切な画像を添付することで、複数の項目を同時に、関連づけて、直感的に暗記する助けにしようとするものである。
【課題を解決するための手段】
【０００４】画像表現や経絡（グループ）別の色分け、身体指標の統一表現、スケールなど視覚効果を駆使した。
【考案の効果】
【０００５】画像表現と色分け、身体指標の統一表現によって、経絡（グループ）と経穴（ツボ）の関係や位置を把握しつつ、より直感的に暗記することができる。
【考案を実施するための最良の形態】
【０００６】ひとつあるいは複数の経穴（ツボ）に対して１片の、持ち運びが簡便なサイズで適度な厚みのカードを、必要な枚数セットにし、金属環などで繋げるための穴を開けた暗記カード。またはこれらを電子化し、検索を容易にしたソフトウェア。
【実施例】
【０００７】以下、図面に従って実施例を説明する。図１は経穴（ツボ）暗記カードセットを構成する紙片のうち１枚の表面である。【０００８】図１に示すように、各カードの表面左端は個々の経穴（ツボ）が所属する経絡（グループ）別に帯状に色分けされている（１）。カードの左半面の最上部には個々の経穴（ツボ）が所属する経絡（グループ）（２）、その下に個々の経穴（ツボ）の特徴（３）、その下に経穴（ツボ）名（４）とふりがな（５）、その下に世界保健機関（ＷＨＯ）による記号番号・中国語読み（ピンイン）（６）を記載、さらに右半面には個々の経穴（ツボ）の位置を適切に表現するための画像（７）が描かれ、経穴（ツボ）の位置（８）が示されている。経穴（ツボ）の位置を示すスケール（９）や身体指標（この図では皮膚横紋）が示されている（１０）。カード右端には経絡（グループ）別に色分けしたインデックス（１１）がつけられている。【０００９】また、図２に示すように、各カードの裏面には個々の経穴（ツボ）の取穴部位・筋肉・筋枝・皮枝・血管・世界保健機関（ＷＨＯ）による記号番号・カード全体の通し番号を文字で表示（１２）した。【００１０】なお、各カードの表面の左上部および裏面の右上部に設けられた小さな丸印（１３）は、金属環などを通す孔である。【００１１】図３はカードの右半分、図４はカードの左半分を隠して暗記するためのツールである。
【図面の簡単な説明】
【００１２】
【図１】本考案の経穴（ツボ）暗記カードの実施例を示す表面図である。
【図２】本考案の経穴（ツボ）暗記カードの実施例を示す裏面図である。
【図３】本考案の経穴（ツボ）暗記カードに添付する暗記ツールの図である。
【図４】本考案の経穴（ツボ）暗記カードに添付する暗記ツールの図である。
【符号の説明】
【００１３】１    経絡（グループ）別色分け
２    経絡（グループ）名
３    個々の経穴（ツボ）の特徴
４    経穴（ツボ）名
５    経穴（ツボ）名のふりがな
６    世界保健機関（ＷＨＯ）による記号番号と中国語読み（ピンイン）
７    骨格又は体表画像
８    経穴（ツボ）の位置
９    スケール
１０  身体指標
１１  インデックス
１２  経穴（ツボ）の取穴部位・筋肉・筋枝・皮枝・血管・世界保健機関（ＷＨＯ）による記号番号・カード全体の通し番号
１３  金属環などを通す孔
１４  不透明のプラスティック板で作られた暗記ツール
１５  暗記ツールの使用例
【図１】
0003166633.tif 000003
【図２】
0003166633.tif 000004
【図３】
0003166633.tif 000005
【図４】
0003166633.tif 000006
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
複数のカード片を有し、各カード片の隅に穴をあけて金属環を通してつなぐことができ、各カード片の表面に経穴（ツボ）の名称を文字で記載し、また個々の経穴（ツボ）の位置を骨格・筋肉・血管・神経・ガイドとなる経穴・スケールなどの指標を駆使して記載し、各カード片の裏面に経穴（ツボ）の部位・筋肉・運動神経・知覚神経・血管等を文字で表示した経穴（ツボ）暗記カード。
【請求項２】
請求項１に記載の経穴（ツボ）暗記カードにおいて、世界保健機関（ＷＨＯ）による記号番号・中国語読み（ピンイン）・要穴等を表示したことを特徴とする経穴（ツボ）暗記カード。
【請求項３】
請求項１に記載の経穴（ツボ）暗記カードにおいて、経穴（ツボ）の所属する経絡グループ別に色分けし、分類しやすいようにインデックスをつけた経穴（ツボ）暗記カード。
【請求項４】
請求項１に記載の経穴（ツボ）暗記カードにおいて、隅にあけた穴に通した金属環で複数のカード片とつなげることができ、カード片の裏面に接するようにつないで、カード片より大きい部分をカード表面側に折り返すことによって、カード片表面の右半分あるいは左半分を隠すことができる不透明なプラスティック板によるツールを添付した経穴（ツボ）暗記カード。
【手続補正２】
【補正対象書類名】明細書
【補正対象項目名】全文
【補正方法】変更
【補正の内容】
【考案の詳細な説明】
【技術分野】
【０００１】本考案は、独自の画像表現と色分けインデックスをつけた経穴（ツボ）暗記カードに関するものである。
【背景技術】
【０００２】これまで発売された経穴（ツボ）暗記カードは、文字のみや簡単な体表図によって構成されたものであった。
【考案の開示】
【考案が解決しようとする課題】
【０００３】はり師・きゅう師の資格を取得するためには、人体に分布する約４００の経穴（ツボ）の名称・位置・特色および個々の経穴（ツボ）が所属する経絡グループを暗記しなければならない。これらを色で分類し、適切な画像を添付することで、複数の項目を同時に、関連づけて、直感的に暗記する助けにしようとするものである。
【課題を解決するための手段】
【０００４】画像表現や経絡グループ別の色分け、身体指標の色彩や描画方法を統一する、スケールを記載するなどの視覚効果を駆使した。
【考案の効果】
【０００５】画像表現と色分け、身体指標の描画表現によって、経絡グループと経穴（ツボ）の関係や位置を把握しつつ、より直感的に暗記することができる。
【考案を実施するための最良の形態】
【０００６】ひとつあるいは複数の経穴（ツボ）に対して１片の、持ち運びが簡便なサイズで適度な厚みのカードを、必要な枚数セットにし、金属環などで繋げるための穴を開けた暗記カード。
【実施例】
【０００７】以下、図面に従って実施例を説明する。図１は経穴（ツボ）暗記カードのうち１片の表面である。【０００８】図１に示すように、各カードの表面左端は個々の経穴（ツボ）が所属する経絡グループ別に帯状に色分けされている（１）。カードの左半面の最上部には個々の経穴（ツボ）が所属する経絡グループ（２）、その下に要穴等（３）、その下に経穴（ツボ）名（４）とふりがな（５）、その下に世界保健機関（ＷＨＯ）による記号番号・中国語読み（ピンイン）（６）を記載、さらに右半面には個々の経穴（ツボ）の位置を適切に表現するための画像（７）が描かれ、経穴（ツボ）の位置（８）が示されている。経穴（ツボ）の位置を示すスケール（９）や身体指標（この図では皮膚横紋）が示されている（１０）。カード右端には経絡グループ別に色分けしたインデックス（１１）がつけられている。【０００９】また、図２に示すように、各カードの裏面には個々の経穴（ツボ）の取穴部位・筋肉・筋枝・皮枝・血管・世界保健機関（ＷＨＯ）による記号番号及びカード全体の通し番号を文字で表示（１２）した。【００１０】なお、各カードの表面の左上部および裏面の右上部に設けられた小さな丸印（１３）は、金属環などを通す孔である。【００１１】図３はカードの右半分、図４はカードの左半分を隠して暗記するためのツールである。
【図面の簡単な説明】
【００１２】
【図１】本考案の経穴（ツボ）暗記カードの実施例を示す表面図である。
【図２】本考案の経穴（ツボ）暗記カードの実施例を示す裏面図である。
【図３】本考案の経穴（ツボ）暗記カードに添付する暗記ツールの図である。
【図４】本考案の経穴（ツボ）暗記カードに添付する暗記ツールの図である。
【符号の説明】
【００１３】１  経絡グループ別色分け
２  経絡グループ名
３  要穴等
４  経穴（ツボ）名
５  経穴（ツボ）名のふりがな
６  世界保健機関（ＷＨＯ）による記号番号と中国語読み（ピンイン）
７  骨格又は体表画像
８  経穴（ツボ）の位置
９  スケール
１０  身体指標
１１  インデックス
１２  経穴（ツボ）の取穴部位・筋肉・筋枝・皮枝・血管・世界保健機関（ＷＨＯ）による記号番号・カード全体の通し番号
１３  金属環などを通す孔
１４  不透明のプラスティック板で作られた暗記ツール
１５  暗記ツールの使用例